(57)【特許請求の範囲】
【請求項１】
ファン及び前記ファンを駆動するモータからなる送風機部と、前記送風機部を支持するとともに前記ファンの運転を操作する操作部が設けられたスタンド部とを有する扇風機において、
前記操作部は、
タクトスイッチが設けられた電子回路部と、
前記電子回路部を収納するケーシングと、
前記ケーシングの上部壁に対して支持部を介して一体に成形されて、前記上部壁に対して交差する方向に進退動可能とされ、前端に嵌合部が設けられるとともに、後退したときに後退端が前記タクトスイッチを押圧する可動部と、
裏面に設けられた被嵌合部を前記嵌合部に嵌合させて前記可動部に接合され、少なくとも前記可動部が前進した状態で前記ケーシングから突出するキーボタンと、
前記ケーシングを覆い、前記キーボタンと前記可動部の接合部を貫通させる貫通孔を形成するとともに前記貫通孔の周囲の表裏をそれぞれ前記キーボタンと前記可動部とに水密に接着される防水性シートと、を備えた
ことを特徴とする扇風機。
【請求項２】
前記可動部の嵌合部が凸形状、前記キーボタンの被嵌合部が凹形状である
ことを特徴とする請求項１に記載の扇風機。
【請求項３】
前記可動部と前記キーボタンとは、前記嵌合部と前記被嵌合部とを接着されて接合されている
ことを特徴とする請求項１または２に記載の扇風機。
【請求項４】
前記ケーシングの前記上部壁と底部壁との間に前記電子回路部を貫通して設けられ、前記底部壁から前記上部壁を支えるとともに、軸線に沿って排水路が形成され、前記上部壁表面の液体を前記底部壁裏面に誘導する支持柱を備えた
ことを特徴とする請求項１から３のいずれか１項に記載の扇風機。
【請求項５】
ファン及び前記ファンを駆動するモータからなる送風機部と、前記送風機部を支持するとともに前記ファンの運転を操作する操作部が設けられたスタンド部とを有する扇風機において、
前記操作部は、
タクトスイッチが設けられた電子回路部と、
前記電子回路部を収納するケーシングと、
前記ケーシングの前記上部壁と底部壁との間に前記電子回路部を貫通して設けられ、前記底部壁から前記上部壁を支えるとともに、軸線に沿って排水路が形成され、前記上部壁表面の液体を前記底部壁裏面に誘導する支持柱と、を備え、
前記底部壁には、表裏を貫通する排水穴が形成され、
前記支持柱の下端は、前記排水穴の内径よりも大きい外径で形成されて、前記排水路を前記排水穴に連通させつつ前記底部壁に当接する
ことを特徴とする扇風機。
【請求項６】
前記底部壁には、周囲より一段低く形成された凹部が形成され、
前記排水穴は、前記凹部に形成され、
前記支持柱の下端は、前記排水穴周囲の凹部表面に当接している
ことを特徴とする請求項４または５に記載の扇風機。
【請求項７】
前記支持柱の下端は、排水穴が貫通して設けられた前記底部壁の前記排水穴周囲の内面に、前記排水路を前記排水穴に連通させるようにして当接しており、この当接箇所の周囲の前記底部壁には、前記支持柱を囲むように漏洩防止堤が設けられている
ことを特徴とする請求項４または５に記載の扇風機。
【発明の詳細な説明】
【技術分野】
【０００１】
本発明は、例えばリビング用扇風機などの送風機部と、これを支えるスタンド部からなる扇風機に関し、特にスタンド部に押し下げボタン式の操作部を有する扇風機に関するものである。
【背景技術】
【０００２】
上記構造の扇風機においては、近年、電源入・切や、風量切替、タイマー設定などの操作をし易くするため、従来主流であったシートボタン構造から、キーボタン構造の操作部が採用されるようになっている。さらに意匠性を高めるためキーボタンにメッキ処理や塗装処理ができるよう、操作部にスイッチ操作用の進退動可能なスイッチボスを設け、このスイッチボスと別体でキーボタンを設け、操作部に取り付ける構造となっている。キーボタン周辺には樹脂成型の意匠パネル等を設けることも多い。
【０００３】
このような構造では、構造上操作部及び意匠パネルのキーボタン周辺に開口部ができ、内部に収納された電子回路部へ至る隙間が生じ、万一操作部に液体がかかった際に、電子回路部に液体が漏洩するおそれがあるため、キーボタンと、電子回路部との間に防水シートなどを設けている。
【０００４】
この防水シートは操作部及びスイッチボスの表面に貼られているので、別体のキーボタンを直接スイッチボスに接合しようとすると、防水シートに貫通孔を空けなければならず、防水性能が損なわれる。このため、キーボタンを直接操作部のスイッチボスに固定するのではなく、複数のキーボタンを一体成型、或いは個別のままで成型し、キーボタン部が可動可能で操作部へ固定できるための構造部をキーボタンに一体成型するなどした上で、操作部に固定している（例えば、特許文献１参照）。
【先行技術文献】
【特許文献】
【０００５】
【特許文献１】特開２００５−２１４１０１号公報
【発明の概要】
【発明が解決しようとする課題】
【０００６】
このような構造の従来の扇風機は、幾つかのキーボタンを一体成型、或いは個別に成型し、さらにキーボタンが進退動可能に操作部へ取り付けるための構造が必要であり、構造が複雑でコストが高く、組み立て工程も複雑であった。さらに万一使用者により操作部に液体が掛けられたとき、キースイッチと意匠パネルとの隙間などに液体が溜まり流れ出ないなどの問題があった。
【０００７】
本発明は、上記に鑑みてなされたものであり、キーボタンを容易に防水構造とすることができ、キーボタンの構造を簡素化することができ、キーボタンの取り付けを容易なものとして作業性を向上させ、構造の簡素化により材料を削減すると共に標準化が可能でコストダウンを図ることができ、低コストで操作性、意匠性、生産性の高い扇風機を提供することを目的とする。また、操作部表面にかかる液体を速やかに外部に排出することができ、電子回路部を収納する内部に漏洩させることがなく、万一操作部が足で踏みつけられる等のことがあっても、変形を抑制して電子回路部の破損を防ぐことができる扇風機を提供することを目的とする。
【課題を解決するための手段】
【０００８】
上述した課題を解決し、目的を達成するために、本発明にかかる扇風機は、ファン及びファンを駆動するモータからなる送風機部と、送風機部を支持するとともにファンの運転を操作する操作部が設けられたスタンド部とを有する扇風機において、操作部は、タクトスイッチが設けられた電子回路部と、電子回路部を収納するケーシングと、ケーシングの上部壁に、内方に凸形状となるように一体に成形され、周囲に形成された薄肉部により支持されて上部壁に対して交差する方向に進退動可能（上部壁に対して出入りするようにストローク動作可能）とされ、前端に嵌合部が設けられるとともに、後退した（例えば指等により押圧されて凹むように押し込まれた）ときに後退端がタクトスイッチを押圧する可動部と、裏面に設けられた被嵌合部を嵌合部に嵌合させて可動部に接合され、少なくとも可動部が前進した状態（押圧力から開放され元の位置に戻った状態）でケーシングから突出するキーボタンと、ケーシングを覆い、キーボタンと可動部の接合部を貫通させる貫通孔を形成するとともに貫通孔の周囲の表裏をそれぞれキーボタンと可動部とに水密に接着される防水性シートとを備えたことを特徴とする。
【０００９】
また、上述した課題を解決し、目的を達成するために、本発明にかかる扇風機は、ファン及びファンを駆動するモータからなる送風機部と、送風機部を支持するとともにファンの運転を操作する操作部が設けられたスタンド部とを有する扇風機において、操作部は、タクトスイッチが設けられた電子回路部と、電子回路部を収納するケーシングと、ケーシングの上部壁と底部壁との間に電子回路部を貫通して設けられ、底部壁から上部壁を支えるとともに、軸線に沿って排水路が形成され、上部壁表面の液体を底部壁裏面に誘導する支持柱を備えたことを特徴とする。
【発明の効果】
【００１０】
本発明にかかる扇風機によれば、キーボタンを容易に防水構造とすることができ、またキーボタンが進退動可能となる構造をキーボタン自身に持たせる必要がなく、キーボタンの構造を簡素化することができ、キーボタンの取り付けを容易なものとして作業性を向上させ、部品点数と材料を削減すると共に標準化が可能でコストダウンを図ることができるので、低コストで生産性の高い扇風機とすることができる。
【００１１】
また、本発明にかかる扇風機によれば、操作部表面にかかる液体を速やかに外部に排出することができ、電子回路部を収納する内部に漏洩させることがない。また、万一操作部が足で踏みつけられる等のことがあっても、支持柱が底部壁から上部壁を支えて変形を抑制し、電子回路部の破損を防ぐことができる。
【図面の簡単な説明】
【００１２】
【図１】図１は、本発明にかかる扇風機の実施の形態１の全体の斜視図である。
【図２】図２は、操作部の分解斜視図である。
【図３】図３は、操作部の断面図である。
【図４】図４は、操作部の拡大断面図である。
【図５】図５は、キーボタン側面図である。
【図６】図６は、防水シートを正面から見た図である。
【図７】図７は、防水シートを裏面から見た図である。
【図８】図８は、本発明にかかる扇風機の実施の形態２のスタンド操作部の拡大断面図である。
【図９】図９は、本発明にかかる扇風機の実施の形態３のスタンド操作部の拡大断面図である。
【発明を実施するための形態】
【００１３】
以下に、本発明にかかる実施の形態の実施の形態を図面に基づいて詳細に説明する。なお、この実施の形態によりこの発明が限定されるものではない。
【００１４】
実施の形態１．
図１は、本発明にかかる扇風機の実施の形態１の全体の斜視図である。図２は、スタンド操作部の分解斜視図である。図３は、スタンド操作部の断面図である。図４は、スタンド操作部の拡大断面図である。図１及び図２において、本実施の形態の扇風機は、回転角度を変えて送風する送風機部８と、この送風機部８を床面から支持するスタンド部１０とから構成されている。送風機部８は、ファン８ａ及びこのファン８ａを駆動するモータ８ｂを有している。スタンド部１０は、床面に沿って広がる偏平状の基部１１と、基部１１から立設して送風機部８を支持する立設部１２とから構成されている。
【００１５】
概略円板状の基部１１は、上下方向２つに分割された上部ケーシング１１Ａと下部ケーシング１１Ｂとからなるケーシングを有している（図２）。上部ケーシング１１Ａは、樹脂成型にて作製され、外殻を構成する上部壁１ａとこの上部壁１ａを裏面から補強する多くのリブで構成されている。下部ケーシング１１Ｂも同じように、樹脂成型にて作製され、外殻を構成する底部壁５ａとこれを補強する多くのリブで構成されている。
【００１６】
基部１１の中央部は、樹脂成型にて作製された意匠パネル６で覆われている。このような構造の基部１１のうち意匠パネル６で覆われた部分の一部が操作部１となっている。操作部１の内部に電子回路基板（電子回路部）２が収納されている。
【００１７】
図３において、操作部１の内部に電子回路基板（電子回路部）２が収納され、この電子回路基板２は取付ボス１ｇにて上部壁１ａから支持されている。電子回路基板２上には、電源のＯｎ／Ｏｆｆ、風量調節、タイマー設定などを行うためのタクトスイッチ２ａが実装されている。タクトスイッチ２ａは、上部を押圧されることにより、例えばＯｎ／Ｏｆｆの切り替え等のスイッチング動作をする。
【００１８】
また、操作部１を構成する部分の上部ケーシング１１Ａの上部壁１ａに、スイッチボス（可動部）１ｂが一体に成型されている。スイッチボス１ｂは、概略有底円筒状を成し、上部壁１ａから内方に凸形状となるように成型され、上部壁１ａに同じく一体に成型された薄肉部１ｃにより上部壁１ａから支持されて、上部壁１ａに対して交差する方向（本実施の形態においては上下方向であるが、必ずしも上下方向に限定されない）に進退動可能（上部壁１ａに対して出入りするようにストローク動作可能）とされている。そして、スイッチボス１ｂを、タクトスイッチ２ａに対応した位置に設けられており、後退した（例えば指等により押圧されて凹むように押し込まれた）ときに後退端がタクトスイッチ２ａに接触してこれを押圧する。上部壁１ａの作製時に、スイッチボス１ｂ及び薄肉部１ｃが一体に成型されるので、部品点数を増やさず低コストで作製することができる。
【００１９】
操作部１の外周部の上部壁１ａには、意匠パネル６を粘着固定するために中央部より一段高く段を成す段付部１ｈが成型されている。意匠パネル６は外周部裏面に塗布された粘着剤６ｂにより、この段付部１ｈに粘着固定されている。
【００２０】
図４において、スイッチボス１ｂは、上記のように概略有底円筒状を成し、キーボタン３が接合される凹状挿入孔（嵌合部）１ｄが前端から軸線に沿って凹設されている。キーボタン３は、肉厚円板状のボタン部３ｂと、このボタン部３ｂの裏面中央に立設された円錐形状の凸状挿入軸（被嵌合部）３ａとから構成されており（図５）、凸状挿入軸３ａをスイッチボス１ｂの凹状挿入孔１ｄに挿入して接着されて、スイッチボス１ｂの前端側に接合される。ボタン部３ｂのおもて面側は断面円弧状に緩やかに膨らんでいる。そして、キーボタン３は、スイッチボス１ｂが前進した状態（押圧力から開放され元の位置に戻った状態）で意匠パネル６の開口部６ａからこの膨らみ部を突出させる。このようにして、キーボタン３が出没可能に取り付けられる。
【００２１】
そして、意匠パネル６の開口部６ａには、この出没可能に進退動するキーボタン３のボタン部３ｂが収納される。そのため、開口部６ａは、ボタン部３ｂと干渉しないようそれぞれボタン部３ｂの外径より大きい径に成型されており、ボタン部３ｂとの間に所定の隙間ができるようになっている。
【００２２】
操作部１を構成する部分の上部壁１ａ上面を覆うようにして防水シート４が配設されている。つまり、操作部１を構成する部分の上部壁１ａと意匠パネル６との間に防水シート４が挟み込まれている。防水シート４は、図７中斜線で示すように、裏面のほぼ全面に塗布された粘着剤４ａにより上部壁１ａに貼着されている。防水シート４は、キーボタン３に対応する位置に貫通孔４ｄを有している。そして、防水シート４は、この貫通孔４ｄにキーボタン３とスイッチボス１ｂの接合部を貫通させ、さらに貫通孔４ｄの周囲の表裏をそれぞれ粘着剤４ｂ，４ｃにて、キーボタン３とスイッチボス１ｂとに水密に接着されている。粘着剤４ｂ，４ｃは、図６，７に示されるようにそれぞれ電子回路基板２のタクトスイッチ２ａの位置に対応した位置の貫通孔４ｄの周囲に同心円状に塗布されている。
【００２３】
操作部１を構成する部分の上部壁１ａと底部壁５ａとの間に支持ボス（支持柱）１ｅが設けられている。支持ボス１ｅは、概略中空円筒状を成し上部壁１ａと一体に成型され、上部壁１ａから下方に延び電子回路基板２に設けられた穴を貫通し、下端は底部壁５ａに当接している。そして、このように配設されて支持ボス１ｅは、上部壁１ａを底部壁５ａから支持する。支持ボス１ｅは、スイッチボス１ｂ及び薄肉部１ｃと同じように、上部壁１ａの作製時に一体に成型されるので、部品点数を増やさず低コストで作製することができる。
【００２４】
支持ボス１ｅの中央穴は排水路１ｆを構成し、上部開口は面取り部を介して上部壁１ａの上面に連通している。また、防水シート４には、排水路１ｆと同心円上に、面取り部より大きい径の貫通孔４ｅが設けられ、この貫通孔４ｅの開口縁部は、粘着剤４ａにて、排水路１ｆ周囲の支持ボス１ｅに固着されている。底部壁５ａの支持ボス１ｅの下端が当接する位置は凹部５ｃとなっており、この凹部５ｃの中央に排水路１ｆと連通するように排水穴５ｂが開口している。
【００２５】
このような構成の扇風機によれば、キーボタン３には、裏面に円錐形に成型された凸状挿入軸３ａがあり、この凸挿入軸３ａを防水シート４の貫通孔４ｄに貫通させた後、スイッチボス１ｂの凹状挿入孔１ｄに差込み、ボタン部３ｂを防水シート４に塗布された粘着剤４ｃに粘着固定することによりキーボタン３を取り付ける。これにより、キーボタン３を取り付ける作業は差し込むだけの作業となり、さらにキーボタン３は、進退動可能に設けられたスイッチボス１ｂに直接取付けるので、キーボタン３自体に複雑な可動構造などが不要となる。
【００２６】
また、上記のように、意匠パネル６の開口部６ａには進退動するキーボタン３が収納されるため、開口部６ａはボタン部３ｂの外径より大きい径で成型されており、ボタン部３ｂとの間に隙間ができるので、万一操作部１に液体が掛けられた場合、ボタン部３ｂと開口部６ａの間から液体が浸入するが、上記のようにキーボタン３のボタン部３ｂは防水シート４の粘着剤４ｃと粘着固定されているため、液体の浸入を防止することができる。
【００２７】
さらに、前述したキーボタン３の凸状挿入軸３ａを挿入するスイッチボス１ｂの凹状挿入孔１ｄは、底部が閉じられた凹状に成型され且つスイッチボス１ｂは防水シート４と粘着剤４ｂで粘着固定されているので、万一、ボタン部３ｂと防水シート４の粘着剤４ｃとの粘着固定部から液体が浸入した場合でも、凹状挿入孔１ｄの内部で液体が留まり、電子回路基板２へ液体が漏れ出すことはない。
【００２８】
また、キーボタン３を粘着剤でスイッチボス１ｂに固定するようにしたため、凹状挿入孔１ｄにキーボタン３を引掛け固定するなどの機械的な固定構造が不要となり、固定構造を成型するための型抜きの開口部などが必要なくなったため、凹状挿入孔１ｄは底部が閉じられた凹状に成型することが可能となる。
【００２９】
さらに、上記のように、底部壁５ａから上部壁１ａを支持する支持ボス１ｅに排水路１ｆが設けられているので、万一操作部１に液体が掛けられた場合、意匠パネル６の開口部６ａとキーボタン３のボタン部３ｂの隙間、及び意匠パネル６と上部壁１ａとの隙間から液体が浸入するおそれがあるが、浸入した液体はその場に溜まらず、速やかに排水路１ｆの上端部より支持ボス１ｅ内に流れ込み、底部壁５ａの排水穴５ｂから外部に排出される。排水路１ｆは十分な直径があり上端部には面取り加工が施されており、さらに図４に示すようにボタン部３ｂと防水シート４の粘着剤４ｃとの粘着固定部の位置が排水路１ｆの上部面取り部より高い位置に構成されているため、ボタン部３ｂ周辺に浸入した液体は、防水シート４の傾斜により排水路１ｆ面取り部に速やか移動する。このため、効果的に液体を排出することができる。さらに、支持ボス１ｅの下端は凹部５ｃに当接しているため、下端が滑って倒れることがなく、万一操作部１が足で踏みつけられる等のことがあっても、支持ボス１ｅが上部壁１ａを支えて変形を抑制し、電子回路基板２の破損を防ぐことができる。
【００３０】
実施の形態２．
図８は、本発明にかかる扇風機の実施の形態２のスタンド操作部の拡大断面図である。本実施の形態においては、キーボタン３に設けられた凹状挿入孔３ｃに、スイッチボス１ｂに設けられた凸状挿入軸１ｉが挿入されて粘着剤で固着されている。つまり、スイッチボス１ｂに設けられた嵌合部が凸状挿入軸１ｉであり、キーボタン３に設けられた被嵌合部が凹状挿入孔３ｃとなっている。これにより、万一ボタン部３ｂと防水シート４の粘着剤４ｃとの粘着固定部から液体が浸入した場合でも、スイッチボス１ｂには上側に突出する凸状挿入軸１ｉがあるため液体はそれ以上浸入せず、実施の形態１と同様に電子回路基板２への液体の漏洩を防止することができる。
【００３１】
実施の形態３．
図９は、本発明にかかる扇風機の実施の形態３のスタンド操作部の拡大断面図である。本実施の形態においては、支持ボス（支持柱）１ｅの下端は、排水穴５ｂが開口する底部壁５ａの排水穴５ｂ周囲の内面に、排水路１ｆを排水穴５ｂに連通させるようにして当接している。そして、支持ボス１ｅの当接箇所の周囲の底部壁５ａには、支持ボス１ｅを囲むようして円筒壁状の漏洩防止堤５ｄが立設されている。これにより、排水路１ｆより流れ出る液体が操作部１内に漏れ出すことがない。
【産業上の利用可能性】
【００３２】
以上のように、本発明は、ファン及びファンを駆動するモータからなる送風機部と、送風機部を支持するとともにファンの運転を操作する操作部が設けられたスタンド部とを有する扇風機に適用されて有用なものであり、特にスタンド部に押し下げボタン式の操作部を有する扇風機に適用されて最適なものである。
【符号の説明】
【００３３】
１  操作部
１ａ  上部壁
１ｂ  スイッチボス（可動部）
１ｃ  薄肉部
１ｄ  凹状挿入孔（嵌合部）
１ｅ  支持ボス（支持柱）
１ｆ  排水路
１ｇ  取付ボス
１ｈ  段付部
１ｉ  凸状挿入軸（嵌合部）
２  電子回路基板（電子回路部）
２ａ  タクトスイッチ
３  キーボタン
３ａ  凸状挿入軸（被嵌合部）
３ｂ  ボタン部
３ｃ  凹状挿入孔（被嵌合部）
４  防水シート
４ａ，４ｂ，４ｃ  粘着剤
４ｄ，４ｅ  貫通孔
５ａ  底部壁
５ｂ  排水穴
５ｃ  凹部
５ｄ  漏洩防止堤
６    意匠パネル
６ａ  開口部
６ｂ  粘着剤
８  送風機部
８ａ  ファン
８ｂ  モータ
１０  スタンド部
１２  立設部
１１  基部
１１Ａ  上部ケーシング
１１Ｂ  下部ケーシング
【図１】
0005452295.tif 000002
【図２】
0005452295.tif 000003
【図３】
0005452295.tif 000004
【図４】
0005452295.tif 000005
【図５】
0005452295.tif 000006
【図６】
0005452295.tif 000007
【図７】
0005452295.tif 000008
【図８】
0005452295.tif 000009
【図９】
0005452295.tif 000010